(57)【要約】【課題】エレベーターの昇降路行程に関わらず主ロープ交換作業を容易に行うことができる主ロープ交換装置および主ロープ交換方法を提供する。【解決手段】主ロープ交換装置１４は、乗場１５に設置される台座１７と、台座１７に複数段重ねた状態で配置されて鉛直方向の軸回りに回転自在な送り出し用ドラム１９および巻き取り用ドラム２１と、台座１７に設置されたロープガイド２３とを備えており、主ロープを交換する場合は、昇降路２内の頂部に駆動装置１２を設置すると共に、乗りかご４上に中継ローラ１３ａ，１３ｂを取り付けた後、取り外した旧ロープ３を中継ローラ１３ａ，１３ｂと駆動装置１２に案内させ、旧ロープ３と新ロープ３Ａを接続した状態で駆動装置１２を駆動することにより、送り出し用ドラム１９による新ロープ３Ａの送り出し動作と巻き取り用ドラム２１による旧ロープ３の巻き取り動作を同時に行う。【選択図】図４
2020026320.tif 000002
【特許請求の範囲】
【請求項１】
両端が昇降路の頂部のロープ固定部にそれぞれ連結されると共に、中間部が巻上機の巻上シーブに巻回されている複数本の旧ロープを新ロープに交換するための主ロープ交換装置であって、
乗場に設置可能な台座と、前記台座の上に複数段重ねた状態で回転自在に搭載された前記新ロープの送り出し用ドラムと、前記送り出し用ドラムと同軸上に回転自在に配置された前記旧ロープの巻き取り用ドラムと、前記台座に設けられて前記新ロープと前記旧ロープの移送経路を規定するロープガイドと、を備え、
前記ロープガイドには、前記送り出し用ドラムから送り出される前記新ロープを１本毎に仕分けする仕分けローラが設けられていることを特徴とするエレベーターの主ロープ交換装置。
【請求項２】
請求項１に記載のエレベーターの主ロープ交換装置において、
前記ロープガイドは、前記送り出し用ドラムと前記巻き取り用ドラムを積層した最大高さよりも高い位置に設置されていることを特徴とするエレベーターの主ロープ交換装置。
【請求項３】
請求項２に記載のエレベーターの主ロープ交換装置において、
前記ロープガイドは、前記台座に立設された支柱の上端部に回転可能に設置されていることを特徴とするエレベーターの主ロープ交換装置。
【請求項４】
請求項１に記載のエレベーターの主ロープ交換装置において、
前記台座に複数のガイドローラを有する仕分け装置が設けられており、前記送り出し用ドラムに巻回された前記新ロープが前記仕分け装置の対応する前記ガイドローラを経由して前記仕分けローラに導かれることを特徴とするエレベーターの主ロープ交換装置。
【請求項５】
請求項１に記載のエレベーターの主ロープ交換装置において、
前記送り出し用ドラムと前記巻き取り用ドラムは独立して回転可能であることを特徴とするエレベーターの主ロープ交換装置。
【請求項６】
請求項１に記載のエレベーターの主ロープ交換装置において、
前記台座に、移送用の複数の車輪と転倒防止用のジャッキボルトが設けられていることを特徴とするエレベーターの主ロープ交換装置。
【請求項７】
両端が昇降路の頂部のロープ固定部にそれぞれ連結されると共に、中間部が釣合いおもりに設けられたおもりプーリと、乗りかごの下部に設けられたかご下プーリと、巻上機の巻上シーブとに巻回されている複数本の旧ロープを新ロープに交換する主ロープ交換方法であって、
前記釣合いおもりを前記昇降路の下部に固定し、前記乗りかごを前記昇降路の上部に保持した状態で、前記昇降路の上部に駆動装置を設置すると共に、前記乗りかごの上部に中継ローラを取り付ける工程と、
前記旧ロープの端部を前記ロープ固定部から外して前記駆動装置と前記中継ローラに案内する工程と、
請求項１に記載の主ロープ交換装置をエレベーターの乗場に設置する工程と、
前記主ロープ交換装置から送り出される新ロープと前記中継ローラに案内された前記旧ロープの端部どうしを接続する工程と、
前記駆動装置を駆動して前記主ロープ交換装置による前記新ロープの送り出しと前記旧ロープの巻き取りを同時に行う工程と、
を含むことを特徴とするエレベーターの主ロープ交換方法。
【発明の詳細な説明】
【技術分野】
【０００１】
本発明は、エレベーターの主ロープを交換するための主ロープ交換装置および主ロープ交換方法に関する。
【背景技術】
【０００２】
近年、設置場所の省スペース化を実現するために、昇降路の頂部に機械室のない機械室レスと呼ばれるエレベーターが主流となっている。この種の機械室レスエレベーターでは、主ロープの両端が昇降路頂部のロープ固定部に連結されると共に、主ロープの中間部が、釣合いおもりに設けられたおもりプーリと、乗りかごの下部に設けられたかご下プーリと、昇降路の下部に設置された巻上機の巻上シーブとにそれぞれ巻回されており、巻上機を駆動して主ロープを巻き上げることにより、乗りかごと釣合いおもりが昇降路内を釣瓶式に昇降するように構成されている。
【０００３】
エレベーターにおいて、主ロープは、経年によって錆、素線切れ、摩耗等の異常が発生すると破断の虞があるため、定期的な目視点検や専用診断装置による点検が行われている。そして、前述した異常が規定範囲を超過していると判明した場合には、主ロープを新たなものに交換する作業が実施されるが、かかる主ロープの交換作業時は、昇降体である乗りかごや釣合いおもりを昇降路内に一時的に固定しておく必要がある。
【０００４】
主ロープを交換する場合、乗りかごと釣合いおもりを昇降路内に固定した状態で、ロープ固定部から外した旧ロープの一端側に新ロープを接続した後、旧ロープの他端側を引張ることで新旧のロープを入れ替える作業が必要となるが、昇降路の頂部に機械室のないエレベーターでは、かかる作業を昇降路内および乗場という限られたスペースで行わなければならない。
【０００５】
特許文献１には、送り出し用ドラムと巻き取り用ドラムおよび主ロープ把持装置が一体構造となったドラム一体型主ロープ把持装置を最上階乗場に設置し、乗りかごと釣合いおもりを昇降路内に固定した状態で旧ロープをロープ固定部から外した後、送り出し用ドラムより引き出した新ロープを昇降路内の頂部に取り付けたロープガイド用滑車で案内して旧ロープの一端側に接続すると共に、旧ロープの他端側を昇降路内の頂部に取り付けた別のロープガイド用滑車で案内して巻き取り用ドラムに取り付け、しかる後、送り出し用ドラムと巻き取り用ドラムを手動操作して新旧ロープの送り出しと巻き取りを同時に行うようにした主ロープ交換方法が記載されている。
【先行技術文献】
【特許文献】
【０００６】
【特許文献１】特開２０１２−５６７１６号公報
【発明の概要】
【発明が解決しようとする課題】
【０００７】
しかし、特許文献１に記載された従来技術の場合、昇降路内の頂部に取り付けたロープガイド用滑車により新旧ロープを案内するようにしているため、新旧ロープを接続する際のロープ引き回し距離が長くなり、作業性を悪化させるという問題がある。また、ロープガイド用滑車から乗場に設置したドラム一体型主ロープ把持装置に至るロープの移送経路がエレベーターの出入り口の周縁部に近づいてしまい、当該出入り口には三方枠などの高い意匠性を求められる部品が存在するため、その部品をロープの損傷から保護するための養生作業が必要となり、この点からも作業性を悪化させるという問題がある。
【０００８】
また、特許文献１に記載された従来技術では、新旧ロープを保管する送り出し用ドラムと巻き取り用ドラムが回転軸を水平方向に向けた縦置きの状態で並設されているため、エレベーターの昇降路行程が長くなり、それに伴って保管すべき新旧ロープの全長が長くなると、前記ドラムを横幅方向に追加して数珠つなぎに連設する必要があり、機械室レスエレベーターのように横幅の狭いエレベーターに使用できなくなるという課題もある。
【０００９】
本発明は、このような従来技術の実情に鑑みてなされたもので、その目的は、エレベーターの昇降路行程に関わらず主ロープ交換作業を容易に行うことができる主ロープ交換装置および主ロープ交換方法を提供することにある。
【課題を解決するための手段】
【００１０】
上記の目的を達成するために、代表的な本発明によるエレベーターの主ロープ交換装置は、両端が昇降路の頂部のロープ固定部にそれぞれ連結されると共に、中間部が巻上機の巻上シーブに巻回されている複数本の旧ロープを新ロープに交換するための主ロープ交換装置であって、乗場に設置可能な台座と、前記台座の上に複数段重ねた状態で回転自在に搭載された前記新ロープの送り出し用ドラムと、前記送り出し用ドラムと同軸上に回転自在に配置された前記旧ロープの巻き取り用ドラムと、前記台座に設けられて前記新ロープと前記旧ロープの移送経路を規定するロープガイドと、を備え、前記ロープガイドには、前記送り出し用ドラムから送り出される前記新ロープを１本毎に仕分けする仕分けローラが設けられていることを特徴とする。
【発明の効果】
【００１１】
本発明によれば、エレベーターの昇降路行程に関わらず主ロープ交換作業を容易に行うことができる。なお、上記した以外の課題、構成および効果は、以下の実施形態の説明により明らかにされる。
【図面の簡単な説明】
【００１２】
【図１】エレベーターの主要部を示す概略構成図である。
【図２】実施形態に係るエレベーターの主ロープ交換方法の手順を示すフローチャートである。
【図３】実施形態に係るエレベーターの主ロープ交換作業を示す説明図である。
【図４】実施形態に係るエレベーターの主ロープ交換作業を示す説明図である。
【図５】実施形態に係るエレベーターの主ロープ交換装置を示す側面図である。
【図６】該主ロープ交換装置の平面図である。
【図７】該主ロープ交換装置に備えられるロープガイドの詳細図である。
【図８】該ロープガイドの動作説明図である。
【発明を実施するための形態】
【００１３】
本発明の実施の形態について図面を参照して説明する。図１は本発明の実施形態に係る主ロープ交換装置が適用されるエレベーターの主要部を示す概略構成図である。
【００１４】
図１に示す機械室レスエレベーター１は、建物に設置された昇降路２内において、主ロープ３を介して接続された乗りかご４と釣合いおもり５が巻上機６の駆動力によって昇降移動するものである。昇降路２内の上部には頂上ビーム７が設置されており、頂上ビーム７には２つの頂部プーリ８が取り付けられている。巻上機６は昇降路２内の下部位置に設置されており、図示せぬモータを駆動源として回転する巻上シーブ９を有している。釣合いおもり５は２本のガイドレール（図示省略）に沿って上下方向に案内されるようになっており、昇降路２の内底部には釣合いおもり５の下面に対向する緩衝器１０が設置されている。
【００１５】
主ロープ３は、頂上ビーム７に設けられたロープ固定部１１ａから乗りかご４の下部に設けられたかご下プーリ４ａを通り、一方の頂部プーリ８を経由して巻上機６の巻上シーブ９に巻回され、巻上機６から他方の頂部プーリ８を経由して釣合いおもり５の上部に設けられたおもりプーリ５ａを通り、その他端部が頂上ビーム７に設けられたロープ固定部１１ｂに連結されている。ここで、エレベーター１は複数本の主ロープ３で吊られており、そのうちの１本の主ロープ３が図１中に代表的に示されている。
【００１６】
次に、図３〜図８を参照しつつ、図２に示すフローチャートに基づいて実施形態に係る主ロープ交換方法の手順について説明する。なお、図３および図４は、実施形態に係るエレベーターの主ロープ交換作業を示す説明図である。
【００１７】
まず、ステップＳ１として、釣合いおもり５を緩衝器１０に突き当てて固定すると共に、図示せぬチェーンブロック等を用いて乗りかご４を昇降路２の頂部近傍に動かないように保持する。
【００１８】
次に、ステップＳ２として、図３に示すように、頂上ビーム７に駆動装置１２を吊り下げて昇降路２内に設置すると共に、乗りかご４の上面に一対の中継ローラ１３ａ，１３ｂを取り付ける。駆動装置１２はモータを駆動源として回転するローラを有しており、この駆動装置１２は作業員により操作される不図示のコントローラと有線または無線で接続されている。
【００１９】
次に、ステップＳ３として、乗りかご４と釣合いおもり５を吊り下げていた既設の主ロープ３（以下、これを旧ロープと呼ぶ）の両端をロープ固定部１１ａ，１１ｂから取り外し、この旧ロープ３を駆動装置１２のローラと乗りかご４上の中継ローラ１３ａ，１３ｂにそれぞれ案内させる。
【００２０】
次に、ステップＳ４として、図４に示すように、実施形態に係る主ロープ交換装置１４を最上階の乗場１５に設置する。ここで、主ロープ交換装置１４の構造について説明する。図５は主ロープ交換装置１４の側面図、図６は主ロープ交換装置１４の平面図、図７は主ロープ交換装置１４に備えられるロープガイドの詳細図、図８はロープガイドの動作説明図である。
【００２１】
図５〜図８に示すように、実施形態に係る主ロープ交換装置１４は、複数のロック機能付き車輪１６が設けられた台座１７と、台座１７上に下部ターンテーブル１８を介して複数段（本実施形態では４段）重ねた状態で搭載された回転可能な送り出し用ドラム１９と、最上段の送り出し用ドラム１９上に上部ターンテーブル２０を介して搭載された回転可能な巻き取り用ドラム２１と、台座１７の一端部側に立設された支柱２２の上端部に設けられたロープガイド２３と、送り出し用ドラム１９の近傍の台座１７上に立設された仕分け装置２４と、を備えて構成されている。
【００２２】
台座１７は、平行配置した２本の鋼材１７ａの両端部を板材１７ｂで枠体形状に連結して構成されており、このように枠体形状に構成することで軽量化が図られている。台座１７の四隅にはロック機能付き車輪１６が取り付けられているため、台座１７は車輪１６によって乗場１５の床面上をスムーズに移動することができ、所定位置で動かないように固定することも可能となっている。また、台座１７には、両端部にジャッキボルト２５を付設した安定脚２６が取り付けられており、ジャッキボルト２５を調整することにより台座１７を乗場１５の床面上に安定的に支持できるようになっている。
【００２３】
送り出し用ドラム１９と巻き取り用ドラム２１は共通の支軸２７を中心に回転可能となっており、これら送り出し用ドラム１９と巻き取り用ドラム２１は回転軸を鉛直方向に向けた横置き状態に積層配置されている。
【００２４】
送り出し用ドラム１９には旧ロープ３と交換される新ロープ３Ａが巻き付けられており、エレベーター１で使用されている複数本の旧ロープ３を一度にまとめて交換するために、複数本分の新ロープ３Ａが各段の送り出し用ドラム１９に巻き付けられている。最下段の送り出し用ドラム１９は下部ターンテーブル１８上に載置されており、下部ターンテーブル１８には、送り出し用ドラム１９に巻き付けられた新ロープ３Ａが外周方向へ型崩れするのを防止するロープガード２８が設けられている。
【００２５】
巻き取り用ドラム２１には新ロープ３Ａに交換された旧ロープ３が巻き取られるようになっており、この巻き取り用ドラム２１と最上段の送り出し用ドラム１９との間に上部ターンテーブル２０が介設されているため、送り出し用ドラム１９と巻き取り用ドラム２１は互いに独立して回転できるようになっている。
【００２６】
下部ターンテーブル１８は複数のボルト２９を用いて台座１７の鋼材１７ａに固定されており、主ロープ交換装置１４を乗場１５に搬入／搬出する際に、ボルト２９を取り外すことで送り出し用ドラム１９と巻き取り用ドラム２１を含む下部ターンテーブル１８のユニットを台座１７から分解できるようになっている。同様に、前述した安定脚２６と後述する仕分け装置２４もボルト２９を用いて台座１７の鋼材１７ａに固定されているため、主ロープ交換装置１４の搬入／搬出時に、これら安定脚２６と仕分け装置２４を台座１７から分解できるようになっている。
【００２７】
仕分け装置２４には、複数段重ねて配置された送り出し用ドラム１９の高さ位置に対応するように、対をなすガイドローラ３０が上下方向に間隔を存して複数対設けられている。前述したように、送り出し用ドラム１９には複数本分の新ロープ３Ａが巻き付けられているが、これら新ロープ３Ａは１本毎に対応するガイドローラ３０を通過した後、台座１７の一端部側に設置されたロープガイド２３に至る。
【００２８】
ロープガイド２３は、送り出し用ドラム１９から送り出される新ロープ３Ａと巻き取り用ドラム２１に巻き取られる旧ロープ３の移送経路を規定するものであり、台座１７に立設された支柱２２の上端部にターンテーブル３１を介して回転可能に設置されている（図８参照）。その際、ロープガイド２３で規定される新旧ロープ３，３Ａがエレベーター１の出入り口に設置されている不図示の三方枠などに接触しないように、支柱２２によってロープガイド２３の高さ位置Ｈ１を調整可能としている。具体的には、長さ寸法の異なる複数種類の支柱２２を準備しておき、エレベーター１の仕様に応じて最適長さの支柱２２を台座１７に取り付けるようにしたり、長さを変えられる伸縮式の支柱２２を使用すれば良い。
【００２９】
ロープガイド２３には、送り出し用ドラム１９からガイドローラ３０を通過した新ロープ３Ａを１本毎に仕分けする仕分けローラ３２が設けられており、この仕分けローラ３２によって送り出し用ドラム１９から送り出された複数本の新ロープ３Ａが交差しないように配慮されている。仕分けローラ３２は箱形ケース３３の内部に収納されており、この箱形ケース３３の上面に複数本の旧ロープ３を纏めて案内するシャックル３４が設けられている。
【００３０】
ここで、送り出し用ドラム１９と巻き取り用ドラム２１を積層した最大高さ、すなわち、乗場１５の床面から巻き取り用ドラム２１までの高さをＨ２とすると、ロープガイド２３の高さＨ１は巻き取り用ドラム２１の高さＨ２よりも高い位置に設定されている。これにより、送り出し用ドラム１９から送り出される複数本の新ロープ３Ａの交差だけでなく、新ロープ３Ａと巻き取り用ドラム２１に巻き取られる旧ロープ３との交差も防止されている。
【００３１】
図２のフローチャートに戻り、ステップＳ４で主ロープ交換装置１４を乗場１５に設置した後、ステップＳ５として、図４に示すように、一方の中継ローラ１３ｂを経由した旧ロープ３の端部と送り出し用ドラム１９から送り出された新ロープ３Ａとを接続部３５で接続し、他方の中継ローラ１３ａを経由した旧ロープ３の端部を巻き取り用ドラム２１に取り付ける。
【００３２】
次に、ステップＳ６として、乗場１５にいる作業者が不図示のコントローラを操作することで駆動装置１２を駆動させ、この駆動装置１２の駆動により旧ロープ３を図４の矢印Ａ方向へ移送することで、新ロープ３Ａの送り出し用ドラム１９からの送り出し動作と、旧ロープ３の巻き取り用ドラム２１への巻き取り動作とを同時に行う。
【００３３】
このとき、新ロープ３Ａは、送り出し用ドラム１９から複数本同時に送り出されてロープガイド２３に至り、このロープガイド２３の仕分けローラ３２で１本毎に仕分けされた後、乗りかご４上に設置した中継ローラ１３ａ，１３ｂと昇降路２の頂部に設置した駆動装置１２とに案内されるという移送経路をとるため、エレベーター１で使用される複数本分の主ロープを一度にまとめて交換作業することができ、しかも、新旧ロープ３，３Ａを接続する際のロープ引き回し距離が短くて済むため、主ロープの交換作業を容易に行うことができる。
【００３４】
また、乗場１５に設置した主ロープ交換装置１４のロープガイド２３が三方枠などの意匠部品に接触しない高さに調整されており、新ロープ３Ａと旧ロープ３は、このロープガイド２３を経由して乗りかご４上の中継ローラ１３ａ，１３ｂまで導かれるため、わざわざ養生作業を施さなくても意匠部品をロープ損傷から保護することができる。
【００３５】
また、図８に示すように、ロープガイド２３が支柱２２の上端部に回転可能に設置されているため、乗りかご４と主ロープ交換装置１４との相対的な位置変動がロープガイド２３の回転によって吸収され、主ロープ交換装置１４を乗場１５の任意場所に自在に設置することができる。
【００３６】
次に、ステップＳ７として、接続部３５が巻き取り用ドラム２１に近づいたところで駆動装置１２の駆動を停止し、新ロープ３Ａの送り出し動作と旧ロープ３の巻き取り動作を取り止める。しかる後、新ロープ３Ａと旧ロープ３の接続部３５を切り離すと共に、主ロープ交換装置１４の送り出し用ドラム１９から新ロープ３Ａを取り外し、取り外した新ロープ３Ａの両端を昇降路２の頂上ビーム７に設けられたロープ固定部１１ａ，１１ｂに取り付ける。
【００３７】
最後に、ステップＳ８として、釣合いおもり５と緩衝器１０の固定を解除すると共に、乗りかご４を保持しているチェーンブロック等を取り外して新ロープ３Ａに吊られている状態に戻した後、試運転等を行って完了となる。
【００３８】
なお、主ロープ交換作業が終了する前の作業途中において、巻き取り用ドラム２１に多量の旧ロープ３が巻き取られてしまった時は、駆動装置１２を駆動させたまま巻き取り用ドラム２１の近くで旧ロープ３を切断し、巻き取り用ドラム２１の回転を強制的に止めて巻き取り用ドラム２１に溜まった旧ロープ３を取り出した後、切断した旧ロープ３の端部を巻き取り用ドラム２１に再度取り付ければ良い。その際、送り出し用ドラム１９と巻き取り用ドラム２１は独立して回転可能となっているため、新ロープ３Ａを送り出す送り出し用ドラム１９の回転は止めずに、巻き取り用ドラム２１の回転だけを一時的に止めることができ、巻き取り用ドラム２１に溜まった旧ロープ３の取り出し作業を容易に行うことができる。
【００３９】
以上説明したように、本実施形態に係る主ロープ交換装置１４では、新旧ロープ３，３Ａを保管する送り出し用ドラム１９と巻き取り用ドラム２１が回転軸を鉛直方向に向けた横置き状態に配置されているため、エレベーター１の昇降路行程が長くなって長い新旧ロープを保管する場合でも、各ドラム１９，２１を高さ方向に数珠つなぎで積層配置すれば良く、しかも、ロープ移送用の駆動装置１２を主ロープ交換装置１４から分離して昇降路２内に設置することで、装置全体の横幅寸法が抑えられているため、機械室レスエレベーターのように横幅の狭いエレベーター１であっても使用することができる。
【００４０】
また、本実施形態に係る主ロープ交換装置１４では、新旧ロープ３，３Ａの移送経路を規定するロープガイド２３が支柱２２の上端部に設置されており、このロープガイド２３で規定された新旧ロープ３，３Ａがエレベーター１の出入り口に設置されている三方枠などに接触しないように、支柱２２によってロープガイド２３の高さ位置Ｈ１を調整可能としているため、わざわざ養生作業を施さなくても意匠部品をロープ損傷から保護することができる。しかも、ロープガイド２３が支柱２２の上端部に回転可能に設置されているため、乗りかご４と主ロープ交換装置１４との相対的な位置変動がロープガイド２３の回転によって吸収され、主ロープ交換装置１４を乗場１５の所望位置に自在に設置することができる。
【００４１】
また、本実施形態に係る主ロープ交換方法では、乗場１５に設置された主ロープ交換装置１４の送り出し用ドラム１９と巻き取り用ドラム２１に保管される新旧ロープ３，３Ａを、昇降路２内の乗りかご４上に設置した中継ローラ１３ａ，１３ｂにより案内するようにしているため、新旧ロープ３，３Ａを接続する際のロープ引き回し距離が短くて済み、主ロープ交換作業を容易に行うことができる。
【００４２】
なお、上記した実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００４３】
例えば、上記の実施形態では、主ロープ３としてワイヤーロープを使用したエレベーターについて説明したが、ワイヤーロープの代わりにフラットベルトを使用したエレベーターにも本発明は適用可能である。
【符号の説明】
【００４４】
１  エレベーター
２  昇降路
３  主ロープ（旧ロープ）
３Ａ  新ロープ
４  乗りかご
４ａ  かご下プーリ
５  釣合いおもり
５ａ  おもりプーリ
６  巻上機
７  頂上ビーム
８  頂部プーリ
９  巻上シーブ
１０  緩衝器
１１ａ，１１ｂ  ロープ固定部
１２  駆動装置
１３ａ，１３ｂ  中継ローラ
１４  主ロープ交換装置
１５  乗場
１６  車輪
１７  台座
１８  下部ターンテーブル
１９  送り出し用ドラム
２０  上部ターンテーブル
２１  巻き取り用ドラム
２２  支柱
２３  ロープガイド
２４  仕分け装置
２５  ジャッキボルト
２６  安定脚
２７  支軸
２８  ロープガード
２９  ボルト
３０  ガイドローラ
３１  ターンテーブル
３２  仕分けローラ
３３  箱形ケース
３４  シャックル
３５  接続部
【図１】
2020026320.tif 000003
【図２】
2020026320.tif 000004
【図３】
2020026320.tif 000005
【図４】
2020026320.tif 000006
【図５】
2020026320.tif 000007
【図６】
2020026320.tif 000008
【図７】
2020026320.tif 000009
【図８】
2020026320.tif 000010